(57)【要約】【課題】  コンチネント型キッチンカウンターだけではなく、アイランド型キッチンカウンターとしても使用できるキッチンカウンターを提供する【解決手段】  カウンター１１が、その後端が上方に立ち上がったバックガード２を有し、カウンター１の下方にキッチンキャビネット３を備えたキッチンカウンターにおいて、バックガード２の上に略水平で板状の補助カウンター４を設けると共に、キッチンキャビネット３の後ろ側を覆うように化粧パネル５を設け、化粧パネル５の上端で、補助カウンター４の荷重が支持されていると共に、バックガード２が、カウンター１上面から上方に突出した垂直片２ａと、垂直片２ａの上端から後方に突出した水平片２ｂとからなる断面略逆Ｌ字状であり、水平片２ｂの上に補助カウンター４を設けている【選択図】図１
2006334240.tif 000002
【特許請求の範囲】
【請求項１】
カウンターが、その後端が上方に立ち上がったバックガードを有し、カウンターの下方にキッチンキャビネットを備えたキッチンカウンターにおいて、バックガードの上に略水平で板状の補助カウンターを設けると共に、キッチンキャビネットの後ろ側を覆うように化粧パネルを設けたことを特徴とするキッチンカウンター。
【請求項２】
化粧パネルの上端で、補助カウンターの荷重が支持されていることを特徴とする請求項１記載のキッチンカウンター。
【請求項３】
バックガードが、カウンター上面から上方に突出した垂直片と、垂直片の上端から後方に突出した水平片とからなる断面略逆Ｌ字状であり、水平片の上に補助カウンターを設けたことを特徴とする請求項１又は２記載のキッチンカウンター。
【請求項４】
化粧パネルを、補助部材を介してキッチンキャビネットに固定すると共に、キッチンキャビネットの側面に側面パネルを設けることで、化粧パネルとキッチンキャビネットとの間の開口を覆ったことを特徴とする請求項１〜３のいずれか１つに記載のキッチンカウンター。
【発明の詳細な説明】
【技術分野】
【０００１】
本願発明は、バックガードを有するカウンターの下方にキッチンキャビネットを備えたキッチンカウンターに関し、特にはそのカウンターに補助カウンターを有するキッチンカウンターに関する。
【背景技術】
【０００２】
キッチンに設置され、調理部やシンク部を備えたキッチンカウンターは、大きく分けてキッチンの壁面に設置されるコンチネント型キッチンカウンターとキッチンとダイニングもしくはリビングなどの間に設置される、対面型のいわゆるアイランド型キッチンカウンターとがある。この双方のキッチンカウンターは、カウンターの形状が大きく異なる。具体的には、コンチネント型キッチンカウンターにおいては、カウンター後端を壁面に当接するように設計するのに対し、アイランド型キッチンカウンターにおいては、カウンターを前後方向に同一高さで突出して設けたり、カウンターの後方側に一段高い棚を設けたりする。従って、今までは、コンチネント型及びアイランド型のキッチンカウンターは、別々に設計、製造され、その間に互換性はなかった。
【０００３】
一方、特開平５−６４６０８号公報には、断面Ｌ字のサブカウンターをバックガードに上載し、サブカウンターを前後方向に移動することでカウンターの奥行き方向を調節することができるキッチンカウンターが開示されている。このキッチンカウンターにおいてはカウンターの奥行きを調節することができるものの、あくまでコンチネント型キッチンカウンターのみに対応したカウンターであって、アイランド型キッチンカウンターに転用できるものではなかった。
【特許文献１】特開平５−６４６０８号公報
【発明の開示】
【発明が解決しようとする課題】
【０００４】
本願発明は、上記背景技術に鑑みて発明されたものであり、その課題は、コンチネント型キッチンカウンターだけではなく、アイランド型キッチンカウンターとしても使用できるキッチンカウンターを提供することである。
【課題を解決するための手段】
【０００５】
上記課題を解決するために、本願発明の請求項１に係るキッチンカウンターにおいては、カウンターが、その後端が上方に立ち上がったバックガードを有し、カウンターの下方にキッチンキャビネットを備えたキッチンカウンターにおいて、バックガードの上に略水平で板状の補助カウンターを設けると共に、キッチンキャビネットの後ろ側を覆うように化粧パネルを設けたことを特徴とするものである。
【０００６】
又、請求項２記載のキッチンカウンターは、化粧パネルの上端で、補助カウンターの荷重が支持されていることを特徴とするものである。
【０００７】
又、請求項３記載のキッチンカウンターは、バックガードが、カウンター上面から上方に突出した垂直片と、垂直片の上端から後方に突出した水平片とからなる断面略逆Ｌ字状であり、水平片の上に補助カウンターを設けたことを特徴とするキッチンカウンターである。
【０００８】
又、請求項４記載のキッチンカウンターは、化粧パネルを、補助部材を介してキッチンキャビネットに固定すると共に、キッチンキャビネットの側面に側面パネルを設けることで、化粧パネルとキッチンキャビネットとの間の開口を覆ったことを特徴とするものである。
【発明の効果】
【０００９】
本願発明の請求項１に係るキッチンカウンターによると、バックガードの上に略水平で板状の補助カウンターを設けているため、カウンター全体の面積が広くなると共にキッチンキャビネットの後ろ側からも作業でき、又、キッチンキャビネットの後ろ側を覆うように化粧パネルを設けているため、キッチンキャビネットの後ろ側からの見栄えもよく、アイランド型のオープンキッチンに適したものとなる。
【００１０】
又、請求項２に係るキッチンカウンターによると、化粧パネルの上端で、補助カウンターの荷重が支持されているため、補助カウンターが強固に取り付けられ、補助カウンターに重量の大きな食器や電化製品などを置くことができるようになると共に、作業時に不意に荷重がかかっても補助カウンターが壊れにくい。
【００１１】
又、請求項３に係るキッチンカウンターによると、バックガードが、カウンター上面から上方に突出した垂直片と、垂直片の上端から後方に突出した水平片とからなる断面略逆Ｌ字状であるため、補助カウンターとバックガードとの接触面積が大きくなり、強固に支持することができる。
【００１２】
又、請求項４に係るキッチンカウンターによると、化粧パネルを、補助部材を介してキッチンキャビネットに固定しているため、化粧パネルに前後方向の力が加わっても壊れにくく、又、それにより補助カウンターも強固に支持される。それに加え、キッチンキャビネットの側面に側面パネルを設けることで、補助部材が側方から見えなくなると共に、側面が１つの部材で構成されるため一体感のあるキッチンカウンターとなる。
【発明を実施するための最良の形態】
【００１３】
図１〜４は、本願の請求項１〜４全てに対応した第一の実施形態であるキッチンカウンターを示している。この実施形態のキッチンカウンターは、カウンター１が、その後端が上方に立ち上がったバックガード２を有し、カウンター１の下方にキッチンキャビネット３を備えたキッチンカウンターにおいて、バックガード２の上に略水平で板状の補助カウンター４を設けると共に、キッチンキャビネット３の後方を覆うように化粧パネル５を設けている。
【００１４】
又、化粧パネル５の上端で、補助カウンター４の荷重が支持されている。
【００１５】
又、バックガード２が、カウンター１上面から上方に突出した垂直片２ａと、垂直片２ａの上端から後方に水平に突出した水平片２ｂとからなる断面略逆Ｌ字状であり、水平片２ｂの上に補助カウンター４を設けている。
【００１６】
又、化粧パネル５を、補助部材６を介してキッチンキャビネット３に固定すると共に、キッチンキャビネット３の側面に側面パネル７を設けることで、化粧パネル５とキッチンキャビネット３との間の開口を覆っている。
【００１７】
以下、この実施形態のキッチンカウンターを、より具体的詳細に説明する。
【００１８】
この実施形態のキッチンカウンターは、図１〜４に示す如く、カウンター１の下部にキャビネットを備えている。このカウンター１は人工大理石のような樹脂やアルミのような金属でできており、その後端には、その全長に亘って上方に立ち上がったバックガード２が形成されている。このバックガード２は、カウンター１後端から上方に突出した垂直片２ａと、その垂直片２ａの上端からキッチンキャビネット３の後方に突出した水平片２ｂとからなり、断面が略逆Ｌ字状である。又、このカウンター１は、キッチンキャビネット３の前方に一部突出して設けられている。このカウンター１には、ＩＨヒーターやコンロ等の調理部８とシンク部９を備えており、シンク部９にはカラン１０が設けられている。この調理部８とシンク部９は、調理などを行う作業部１１を介して、それぞれカウンター１の両端に設けられている。又、このカウンター１の下部には、箱型のキッチンキャビネット３が配置され、そこには、引き出し１２が複数設けられている。このキッチンキャビネット３には、食器洗浄機や調理用のグリルを設けてもよい。
【００１９】
そして、このキッチンのバックガード２の上には略矩形で板状の補助カウンター４が、その全長に渡って設けられている。更に詳しく説明すると、この補助カウンター４は、バックガード２の水平片２ｂに上載され、補助カウンター４の前端面１３とバックガード２の垂直片２ａの前立面１４は略面一になっており、バックガード２はそこから後方に突出して設けられている。バックガード２と補助カウンター４とは接着剤などを用いて固定してもよく、又、バックガード２と補助カウンター４の間に、樹脂などを充填しても良い。
【００２０】
又、この補助カウンター４の下方には化粧パネル５が設けられている。この化粧パネル５は、木製の補助部材６を介して、キッチンキャビネット３の裏側を覆うように設けられており、その上端で補助部材６に当接され、補助部材６を支持している。なお、この補助部材６は、キッチンキャビネット３の裏側だけでなく、バックガード２の裏側にも設けられている。補助部材６とキッチンキャビネット３及び化粧パネル５は、釘などを用いて取り付けられている。なお、この化粧パネル５とキッチンキャビネット３とで形成される空間は、水道管、ガス管や電気配線などの収納スペースとなっている。
【００２１】
補助カウンター４と化粧パネル５とは、図３及び４から分かるように、長尺形状で断面略Ｌ字形状の固定金具１５で固定されている。この固定金具１５は、ビスや釘などを用いて固定されており、この実施形態においては長尺形状の固定金具１５を化粧パネル５の全長に亘って設けているが、固定金具１５はこれだけに限らず、例えば、略Ｌ字の固定金具１５を一定間隔をあけて複数個設けても良い。
【００２２】
又、キッチンキャビネット３の側面、この場合にはその片方に側面パネル７が設けられている。この側面パネル７は、化粧パネル５からキッチンキャビネット３のすべてを覆うように設けられており、従って、キッチンキャビネット３と化粧パネル５との間に生じた開口も閉塞されている。この場合、側面パネル７は床に当接されており、そこからバックガード２の上端面の高さ、すなわち補助カウンター４の下面の高さまで設けられている。又、側面パネル７の幅方向の寸法は、少なくともカウンター前端面１６から化粧パネル５の表面までを覆うように設計されている。従って、この実施形態のキッチンカウンターを側面から見ると、補助カウンター４及び固定金具１５を除くと、側面パネル７のみが見えるようになっている。又、更に側面パネル７を後方まで突出して設け、固定金具１５も覆うように設ければ、更に一体感のあるキッチンカウンターとなる。
【００２３】
なおこの場合、側面パネル７を設けていない側のキッチンキャビネット３、カウンター１及び補助カウンター４は略面一になっており、壁に当接された際に隙間が生じないようになっている。
【００２４】
従って、この実施形態のキッチンカウンターにおいては、一般的なバックガード２を備えたコンチネント型キッチンカウンターに、補助カウンター４及び化粧パネル５を取り付けることで、アイランド型キッチンカウンターに転用することができる。これにより、キッチンカウンターの設計、製造をコンチネント型及びアイランド型キッチンカウンターに分けて個別に行う必要がないだけでなく、もともとキッチンに設置されているコンチネント型キッチンカウンターをアイランド型キッチンカウンターに仕様変更することもでき、キッチンのリフォームという点から見ても優れている。すなわち、キッチンにもとから設置されていたキッチンカウンターを利用して、コンチネント型からアイランド型（もしくはその逆）へキッチンカウンターを変形させることができ、リフォームのコストダウンにもつながる。
【００２５】
又、化粧パネル５の上端が補助カウンター４に当接され、なおかつ補助カウンター４と化粧パネル５とが略Ｌ字の固定金具１５で固定され、補助カウンター４の荷重が支持されているため、補助カウンター４が強固に取り付けられ、補助カウンター４に重量の大きな食器や電化製品などを置くことができると共に作業時に不意に大きな力が補助カウンター４にかかったとしても壊れにくい。
【００２６】
又、バックガード２が、垂直片２ａと水平片２ｂとを備えているため、補助カウンター４とバックガード２との接触面積が大きくなり、強固に安定して支持することができ、又、接着剤などを用いて固定するときには、接着面積が大きくなるために強固に固定することができる。
【００２７】
又、化粧パネル５を、補助部材６を介してキッチンキャビネット３に固定しているため、化粧パネル５に前後方向の力が加わっても壊れにくくすると共に、強固に固定された化粧パネル５により補助カウンター４が支持されるため、補助カウンター４の支持強度も強くなる。それに加え、キッチンキャビネット３の側面に側面パネル７を設けることで、補助部材６が側方から見えなくなると共に、側面が１つの部材で構成されるため一体感のあるキッチンカウンターとなる。
【００２８】
次に、図５は、本願発明の請求項１〜４のすべてに対応した第二の実施形態であるキッチンカウンターの側面図を示している。この実施形態においては、化粧パネル５がバックガード２の水平片２ｂを介して補助カウンター４を支持している。
【００２９】
従って、この実施形態のキッチンカウンターにおいては、バックガード２も化粧パネル５で支持されるために、カウンター１自体の取り付け強度に加えて、補助カウンター４の取り付け強度も強くなる。それに加えて、化粧パネル５とキッチンキャビネット３とで形成される空間も狭くなり、全体としてコンパクトなキッチンカウンターとなり、キッチン空間をより広く使うことができる。
【００３０】
なお、それ以外の構成については第一の実施形態と同様であり、効果についても同様のものを奏する。
【００３１】
次に、図６は、本願発明の請求項１、２及び４に対応した第三の実施形態であるキッチンカウンターの側面図を示している。この実施形態においては、カウンター１のバックガード２が垂直片２ａのみで形成されており、化粧パネル５が垂直片２ａの裏側に当接されると共に、その上端が補助カウンター４に当接されている。
【００３２】
従って、この実施形態のキッチンカウンターにおいては、化粧パネル５とキッチンキャビネット３とで形成される空間も狭くなり、キッチン空間を有効活用できる。
【００３３】
なお、それ以外の構成については第一の実施形態と同様であり、効果についても同様のものを奏する。
【００３４】
次に、図７〜９は、本願の請求項１〜４全てに対応した第四の実施形態であるキッチンカウンターを示している。この実施形態のキッチンカウンターにおいては、補助カウンター４をカウンター１の途中まで設け、キッチンキャビネット３の裏側の補助カウンター４を設けていない部分には耐力壁１７が設けられている。この場合、キッチンカウンターのキッチン壁面に当接される側に耐力壁１７を設け、それとは反対側に補助カウンター４及び側面パネル７を設けている。この場合、カウンター１の耐力壁１７側に調理部８が設けられており、耐力壁１７には換気扇１８が設けられている。
【００３５】
従って、この実施形態のキッチンカウンターにおいては、調理部８の背面に耐力壁１７を設けているために調理中の油はねを受け止めるだけでなく、耐力壁１７に換気扇１８を設けることもでき、非常に都合の良い構造である。
【００３６】
なお、それ以外の構成については第一の実施形態と同様であり、効果についても同様のものを奏する。
【００３７】
次に、図１０〜１３は、本願の請求項１〜４全てに対応した第五の実施形態であるキッチンカウンターを示している。
【００３８】
このキッチンカウンターにおいては、バックガード２の調理部８に対応した部分を、耐熱カバー１９で覆い、耐熱カバー１９の上に、油はねを受け止める衝立２０を立設している。
【００３９】
この実施形態においては、バックガード２の調理部８後方に耐熱カバー１９を設けているため、カウンター１が人工大理石のような樹脂でできているときには、油はねなどによる樹脂の溶解、劣化を防ぐことができる。又、衝立２０を設けることで、調理部８からの油はねが、補助カウンター４側に及ぶことを防ぎ、アイランド型キッチンにおいては、非常に使い勝手が良い。又、耐熱カバー１９を、図に示すように、バックガード２から補助カウンター４に亘って設ければ、バックガード２と補助カウンター４との継ぎ目を隠す化粧部材としても機能し、これをカウンター１全縁に亘って設ければ、なお見栄えの良いキッチンカウンターとなる。
【００４０】
なお、それ以外の構成については第一の実施形態と同様であり、効果についても同様のものを奏する。
【図面の簡単な説明】
【００４１】
【図１】本願発明の第一の実施形態であるキッチンカウンターを示す斜視図。
【図２】同キッチンカウンターを示す平面図。
【図３】同キッチンカウンターを示す背面図。
【図４】同キッチンカウンターを示す（ａ）は側面図、（ｂ）は図２におけるＡ−Ａ断面図。
【図５】本願発明の第二の実施形態であるキッチンカウンターを示す（ａ）は側面図、（ｂ）は断面図。
【図６】本願発明の第三の実施形態であるキッチンカウンターを示す（ａ）は側面図、（ｂ）は断面図。
【図７】本願発明の第四の実施形態であるキッチンカウンターを示す斜視図。
【図８】同キッチンカウンターを示す平面図。
【図９】同キッチンカウンターを示す背面図。
【図１０】本願発明の第五の実施形態であるキッチンカウンターを示す斜視図。
【図１１】同キッチンカウンターを示す平面図。
【図１２】同キッチンカウンターを示す背面図。
【図１３】同キッチンカウンターを示す（ａ）は側面図、（ｂ）は図１１におけるＢ−Ｂ断面図。
【符号の説明】
【００４２】
１    カウンター
２    バックガード
２ａ  垂直片
２ｂ  水平片
３    キッチンキャビネット
４    補助カウンター
５    化粧パネル
６    補助部材
７    側面パネル
８    調理部
９    シンク部
10    カラン
11    作業部
12    引き出し
13    前端面
14    前立面
15    固定金具
16    カウンター前端面
17    耐力壁
18    換気扇
19    耐熱カバー
20    衝立
【図１】
2006334240.tif 000003
【図２】
2006334240.tif 000004
【図３】
2006334240.tif 000005
【図４】
2006334240.tif 000006
【図５】
2006334240.tif 000007
【図６】
2006334240.tif 000008
【図７】
2006334240.tif 000009
【図８】
2006334240.tif 000010
【図９】
2006334240.tif 000011
【図１０】
2006334240.tif 000012
【図１１】
2006334240.tif 000013
【図１２】
2006334240.tif 000014
【図１３】
2006334240.tif 000015